(57)【要約】【課題】トップベースユニットに移動可能に取り付けられたライトガイド（導光部材）兼モードダイヤルの指標を、前・後外装カバーライトガイド先端部を挟み込み、外装カバーにより、ライトガイドが位置決めされる構造。【解決手段】内部構成部材に移動可能に取り付けられた導光部材が、少なくとも装置の一部を覆う外装カバー部材が組みつけられる際に、外装カバーに位置決めされることを特徴とする電子機器。【選択図】図１
2007199362.tif 000002
【特許請求の範囲】
【請求項１】
内部構成部材に移動可能に取り付けられた導光部材が、少なくとも装置の一部を覆う外装カバー部材が組みつけられる際に、外装カバーに位置決めされることを特徴とする電子機器。
【請求項２】
前記外装カバー部材は、２つ以上の複数部材から構成されていることを特徴とする、請求項１に記載の電子機器。
【請求項３】
導光部材へ光を照射する機器内部に配設された光源は、前記導光部材により位置決めを行うように構成されていることを特徴とする、請求項１または請求項２に記載の電子機器。
【請求項４】
電子部品からなる前記光源は、少なくとも一部分が屈曲可能な電子回路基板に配設してあり、
前記電子回路基板は、前記電子部品からなる光源部と、前記光源部以外の回路部分を兼ね備え、
電子部品からなる光源部は前記導光部材へ位置決めされ、光源部以外の回路部分は前記内部構造部材に位置決めされる、それぞれ独立した手段で位置決めされることを特徴とする、請求項３に記載の電子機器。
【請求項５】
前記光源部以外の回路部分は、少なくとも操作部の入力検出の為の検出手段を含んでいることを特徴とする請求項４に記載の電子機器。
【請求項６】
前記電子部品からなる光源は、複数の光源からなっており、前記導光部材の入光部は光源の光軸に対し傾斜していることを特徴とする請求項４または請求項５に記載の電子機器。
【発明の詳細な説明】
【技術分野】
【０００１】
本発明は電子機器に関し、特に導光部材の外装部材への取り付け機構、カメラ、携帯情報端末等の点灯する指標に関するものである。
【背景技術】
【０００２】
近年普及している電子機器には、回転可能に機器に軸支されたモードダイヤルによって、機器のモードを任意に切り替えられる様な操作部材が配置され、機器の操作性を向上させている。撮像装置においては、モードダイヤルに複数のモードを割り当て、操作者が装置がどのモード状態かを、指標との関係を視認し、認識させるようにしている（例えば参考文献１参照。）。またその指標を導光部材にて形成し、モードの状態をＬＥＤのランプの色の差によって、視認させるようにしている（例えば参考文献２参照。）。
【０００３】
以下、図１５、図１６により従来の撮像装置を説明する。
【０００４】
図１５は従来の撮像装置を示す、概略斜視図であり、３０１は前カバー、３０２は後カバー、３０８はモードダイヤル、３０９は指標を示している。モードダイヤル３０８はカメラのモード（状態）を変更する為の操作部材であり、不図示の手段で矢印Ａ、Ｂの方向に回動可能に軸示されている。指標３０９は撮像装置がどのモードが選択されているかを操作者へ知らせる為の指標であり、レリーズベース（モールドベース）にて一体的に形成されている。モードダイヤル３０８の内部には不図示の接片が配設してあり、また、図１６は前述のレリーズベース３７１の指標部を、無色透明の樹脂部材（導光部材）３７０と別体にし、その内部へモードＬＥＤ３２９を配置、操作基板３６４上に配設し、モード状態によってモードＬＥＤ３２９の発光色を変更させ、操作者へモード状態を容易かつ確実に視認させるよう配慮している。指標を兼ねた樹脂部材３７０は、後カバーへ位置決めされ精度よく固定される。またレリーズベース３７１と樹脂部材３７０、操作基板３６４とレリーズベース３７１はそれぞれ精度よく位置決め固定されている。モードＬＥＤ３２９は操作基板３６４へ精度よく位置決め固定されている。
【０００５】
モードダイヤル３０８の内部には不図示の接片がモードダイヤルの先端にビス固定してあり、操作基板３６４上に配設されたモードダイヤル位置検出用の電極パターンを短絡させ、装置にどのモードにあるか認識させている。
【特許文献１】特開平１１−２５８６７１号公報（第９頁、図１）
【特許文献２】特開平１１−２５８６７１号公報（第９頁、図１３）
【発明の開示】
【発明が解決しようとする課題】
【０００６】
しかしながら、図１７の指標を兼ねた樹脂部材３７０とモードＬＥＤ３２９の間には、レリーズベース、操作基板が介在しており、若干の寸法のばらつきで、樹脂部材３７０に対し、モードＬＥＤ３２９が樹脂部材の中心から外れてしまうという問題があった。図１７はそれぞれ樹脂部材３７０に対し、モードＬＥＤ３２９中心にきた場合と、中心から外れている様子を示している。モードＬＥＤ３２９が樹脂部材３７０の中心から外れると、樹脂部材が均一に発光せず、美観を損ねるだけでなく、操作者への視認性を著しく低下させることになる。この問題を解決するために、各部品の寸法精度向上させることで、中心ずれは改善されるが、各々の部品の寸法精度を向上させることは、部品の歩留まりを悪化させ、結果として部品のコストアップにつながっていた。
【０００７】
操作基板３６４上にモードダイヤル用の電極パターンとモードダイヤルの先端にビス止め固定された接片は、位置関係がずれると、装置がモードを誤認識してしまう可能性がある。そこで、操作基板３６４と、モードダイヤルの回転軸を支持するレリーズベースのボス部の位置関係は近隣に、配置する事が必要とされる。従って、操作基板３６４上に配置されているモードＬＥＤ３２９と樹脂部材３７０の位置関係はどうしても優先度下がり、結果として、前述のように樹脂部材３７０に対し、モードＬＥＤ３２９が樹脂部材の中心から外れてしまう要素となっていた。
【０００８】
また、図１８の様に、モードＬＥＤ３２９ａ、３２９ｂの２つの光源から発光する場合においては、光源で無い側が暗くなり、樹脂部材が均一に発光しないという構造的問題点があった。
【０００９】
本出願に係る第１の発明の目的は、上記事情に鑑み、良好な視認性と、外装カバーと導光部材の間に隙間が発生せず美しい外観を提供しうる構成を、安価にかつ組み立て易く提供することである。
【００１０】
本出願に係る第２の発明の目的は、導光部材が複数の外装カバーの間に構成される際にも、外装カバーと導光部材の間に隙間が発生せず美しい外観を提供しうる構成を、安価にかつ組み立て易く提供することである。
【００１１】
本出願に係る第３の発明の目的は、光源を導光部材に位置決め係止しすることで、導光部材の発光部を均一にムラなく発光させる構成を提供することである。
【００１２】
本出願に係る第４の発明の目的は、電子部品からなる光源を搭載する部分と、光源を搭載する部分以外の電子回路部分を、少なくとも一部分が屈曲可能な電子回路基板一体的に構成し、導光部材と光源、光源以外の回路部分と内部構成部材とをそれぞれ別な位置決め手段により係止し、電子回路基板の光源部以外の部分に内部構成部材のとの位置決め精度が要求されても、導光部材の発光部を均一にムラなく発光させる構成を提供することである。
【００１３】
本出願に係る第５の発明の目的は、操作部材の入力検出の為の、電極パターンや操作部材の検出のためスイッチが光源と同一の電子回路基板に配設されている場合、電極パターンや検出スイッチは内部構成部材に位置決めし、操作部材の検出時の位置ズレによる検出エラー要素を軽減し、光源部は導光部に位置決めし、発光部を均一でムラなく発光させる構成を提供することである。
【００１４】
本出願に係る第６の発明の目的は、光源が異なる複数の点光源から射出される場合、導光部材の入光部を点光源の光軸に対し傾斜、光を屈折させ、複数光源から射出された光束を導光部材の発光部へ導光することすることで、発光部を均一でムラなく発光させる構成を提供することである。
【課題を解決するための手段】
【００１５】
上記目的を達成するために、本出願の第１の発明による電子機器は、
内部構成部材に移動可能に取り付けられた導光部材が、少なくとも装置一部を覆う外装カバー部材が組みつけられる際に、外装カバーに位置決めされる手段を有することを特徴とする。
【００１６】
本出願の第２の発明は、上記第１の発明による電子機器において、
前記外装カバー部材は、２つ以上の複数部材から構成され、該複数部材により前記導光部材位置決め固定される手段を有することを特徴とする。
【００１７】
本出願の第３の発明は、上記第１または上記第２の発明による電子機器において、
前記導光部材へ光を照射する機器内部に配設された光源は、前記導光部材により位置決めを行うよう構成されていることを特徴とする。
【００１８】
本出願の第４の発明は、上記第３の発明による電子機器において、
電子部品からなる前記光源は、少なくとも一部分が屈曲可能な電子回路基板に配設してあり、
前記電子回路基板は、前記電子部品からなる光源部と、前記光源部以外の回路部分を兼ね備え、
電子部品からなる光源部は前記導光部材へ位置決めされ、光源部以外の回路部分は前記内部構造部材に位置決めされる、それぞれ独立した手段で位置決めされる手段を有することを特徴とする。
【００１９】
本出願の第５の発明は、上記第４の発明による電子機器において、
前記光源部以外の回路部分は、少なくとも操作部の入力検出の為の検出手段を含んでいることを特徴とする。
【００２０】
本出願の第６の発明は、上記第４または上記第５の発明による電子機器において、
前記電子部品からなる光源は、複数の光源からなっており、前記導光部材の入光部は光源の光軸に対し傾斜していることを特徴とする。
【発明の効果】
【００２１】
請求項第１の発明では、導光部材を内部構成部材に移動可能に取り付け、導光部材の外部へ露呈する部分は、外装カバーにより位置が規制されるため、外装カバーと導光部材外部へ露呈する部分は精度よく取り付けられ、美観性を向上することが可能となる。
【００２２】
請求項第２の発明では、複数の外装カバーの合わせ目に導光部材を配置する場合には、導光部材の外部へ露呈する部分は、それぞれの外装カバーによって位置が規制されるため、複数の外装カバーと導光部材外部へ露呈する部分は精度よく取り付けられ、美観性を向上することが可能となる。
【００２３】
請求項第３の発明では、導光部材へ光を供給する光源と導光部材を精度良く位置決め係止することで、導光部材の発光部を均一にムラ無く発光させることが可能である。また導光部材は内部構成部材に移動可能に取り付けられ、導光部材の外部へ露呈する部分は、外装カバーにより位置が規制されるため、発光部を均一にムラ無く発光させることが可能である。発光部を均一にムラ無く発光させることが可能である。
【００２４】
請求項第４の発明では、少なくとも一部分が屈曲可能な電子回路基板に電子部品からなる光源とそれ以外の回路部分を配設させ、光源とそれ以外の回路部分は、それぞれ独立した別々の位置決め係止手段にて、機器へ固定させる。これにより、その他の電子回路部分が内部構造部材へ固定精度が要求されたとしても、光源部分は独立した位置決め手段を有していいるため、導光部材の入光部と光源の位置関係を精度良く固定することができ、導光部材の発光部を均一にムラ無く発光させることが可能となる。この場合においても、外装カバーの合わせの美観性を損なうことはない。
【００２５】
請求項第５の発明では、請求項第４の発明の、それ以外の回路部分に、少なくとも操作部の入力検出の為の検出手段を含んでおり、その入力検出に関わる回路部分と内部構造部材、前述の光源部分と導光部材のそれぞれの位置関係を精度良く固定できるため、入力検出の検出エラーを発生させることなく、また前述の外装カバーと導光部材の合わせの美観性損なうことなく、導光部材の発光部を均一にムラ無く発光させることが可能となる。
【００２６】
請求項第６の発明では、導光部材へ光を供給する光源が複数から構成されている場合において、
それぞれの光源からの光を、同一の発光部へ無駄なく導き、発光部を均一にムラ無く発光させることが可能となる。
【発明を実施するための最良の形態】
【００２７】
以下本発明を実施するための最良の形態を、実施例により詳しく説明する。
【実施例１】
【００２８】
以下に、本発明による実施形態を、電子撮像装置を例にあげ、図面を参照して詳細に説明する。
【００２９】
図２から図４に、例に挙げた電子撮像装置の概略を示し、本装置の概略説明を以下に行う。
【００３０】
それぞれ、図２は本発明の装置の概略正面斜視図である。
【００３１】
図３は本発明の装置の概略正面斜視図であり、装置の電源を投入し鏡筒ユニットが繰り出した状態を示している。
【００３２】
図４は、本発明の装置の概略背面斜視図である。
【００３３】
図２において、
２００は、撮像装置本体であり、前面部には撮影光学系レンズ、レンズバリア、ＣＣＤなどの光電変換素子（ＣＭＯＳなどのその他の光電変換素子でも良い）、繰り出し機構、ズーム機構、シャッターなどを具備した鏡筒ユニット２０１が一部露呈している。鏡筒ユニット内部に配置されている光学系により被写体像が撮像素子に結像される。２０２は装置本体２００を右手でホールドするためのグリップ部である。
【００３４】
鏡筒ユニットの右上に撮影時に光量が足りない時等に必要に応じて発光する、ストロボ発光窓２０３が設けられている。また鏡筒ユニットの左上部には音声入力用のマイク２０４が設けられている。
【００３５】
２０５は撮像装置本体の前面部を覆う前カバーである。前カバーには前述のストロボ発光窓部を露呈する為の開口部２０５ａ、ファインダー光学系の対物レンズ２０６ａを露呈する為の開口部２０６が一体的に形成されている。２０７はバヨネットカップであり、アクセサリーレンズ不使用時、前カバーに一体的に形成されているアクセサリーレンズ取り付け座を隠す役割を果たしている。
【００３６】
図３において、
２０８は電源ボタンであり、ボタンを押し圧し、電源を投入すると、撮影モード時には鏡筒ユニット２０１は、図２の状態から図３の状態へ所定の位置まで繰り出す。２０９はズームダイヤルであり、時計及び反時計方向に所定の位置まで回動可能な構造になっており、鏡筒ユニット２０１に配備された撮影光学系レンズ群の位置関係を変更し広角から望遠までズームする、装置本体への入力インターフェースである。
【００３７】
２５０は電源ＬＥＤ窓であり、装置に電源が投入すると、緑色に点灯する。電源ＬＥＤ窓２５０は、乳白色の樹脂部材もしくは無色透明の部材からなっており、後述する装置内部に配置されたのトップフレキシブルプリント基板（ＦＰＣ）上のチップＬＥＤから照射された光が、電源ＬＥＤ窓入光部へ照射される。電源ＬＥＤ窓の装置外部へ露呈している部分が点灯し、ユーザーが装置が電源投入状態であることを瞬時に確認できるようになっている。電源投入状態から再度電源ボタンを押し圧すると、装置の電源はＯＦＦ状態になる。窓部の構造に関しては後に詳細に述べる。
【００３８】
２５２はモードダイヤルであり、後述のモードレバー２１３が撮像モードである際に、ユーザーがどのような状況やシーンで撮像装置を使用するかに応じて、詳細に撮像モードを選択できるような、操作部材である。本実施例の撮像装置では、このモードダイヤルに、マニュアルモード、Ａｖモード、ＴＶモード、プログラムモード、オート、ポートレートモード、風景モード、夜景モード、シーンモード、スティッチアシストモード、動画モードの計１１のモードがあらかじめ割り当てられている。各モードの詳細な説明は紙面の都合上割愛する。モードダイヤル２５２は不図示の手段で矢印Ｐ、Ｑの方向に回動可能に軸示されている。また、モードダイヤルは、１１のポジションにて精度良く停止するよう、不図示のバネにより弾性的に付勢されている。前述の電源ＬＥＤ窓は、この回転かつ、１１のポジションで精度良く停止するモードダイヤルがどのポジションにあるか、ユーザーへ簡単そして瞬時に認識してもらうよう、指標の役割も兼ねている。詳細なダイヤルの構成に関しては後に述べる。
【００３９】
図４において、
装置背面は後カバー２１０が装置本体を覆い、後カバーの中央部左には文字や画像などを表示する表示手段、例えば、液晶表示装置２１１があり、撮像する被写体像の確認や、撮像された画像の再生表示や装置の設定変更などの選択メニューおよびアイコンの表示に用いられ、後カバー２１０にはこの液晶表示装置２１１が視認できるよう、開口もしくは透視窓が配設されている。２０６ｂはファインダー光学系の接眼レンズである。ユーザーはこの接眼レンズを覗き、被写体を観察することが出来る。２１２はシャッターボタンであり、このシャッターボタン２１２の操作により、被写体が撮像され装置本体内に組み込まれている記録媒体に被写体像の画像デ−タが記録される。このとき、前述のマイク２０４からの音声データも画像データと合わせて記録することができる。装置内部には音声再生用スピーカー２１３が設けてあり、記録媒体に保存されている音声を再生することや、あらかじめ記録部に記録されている動作音などが再生できるようになっている。
【００４０】
また装置本体２００の底面には、装置本体２００に対し開閉可能な不図示の電池蓋があり、電源となる主電池図示しないが装置本体２００に対し、挿抜可能に挿入される。またこの電池蓋が開いている際に、記録媒体（カード型メモリ）を挿抜可能な構成になっている。液晶表示装置２１１の上部には、ファインダーユニットの接眼レンズ２０６ｂがある。２１４はモードレバーであり、撮影モード及び再生モードを選択できるようになっている。
【００４１】
装置背面、液晶表示装置２１１の右側には複数の背面操作ボタン群２１６が配置されており、液晶表示装置２１１に表示されるメニューやアイコンを見ながら操作するものである。装置の設定やメニュー切り替え、液晶表示装置のオン／オフ切り替えや液晶表示装置の輝度などを変更するディスプレー操作や、上下左右に入力可能な十字ボタン、決定ボタンなどである。これらの操作ボタンは液晶表示装置をみながら操作する為、液晶表示装置近隣に配置することで、ユーザーの利便性を向上させる。
【００４２】
また、液晶表示装置の表示領域の中心は、鏡筒ユニット２０１の撮影光学系の光軸となるべく一致させるように配置することで、撮影者が液晶表示装置を見ながら被写体を決定するときに違和感をなくすことができる。
【００４３】
次に本発明の撮像装置の構成を説明する。
【００４４】
図５は本発明の装置の展開斜視図である。
【００４５】
図５において、２０５は前カバーであり、前述のズームダイヤル、シャッターボタン、電源ボタンなどが一体的に構成されている。２１０は後カバーであり前述の各種操作ボタン、モードレバーなどが一体的に構成されている。２１９は電池室ユニット、２２０は電池蓋ユニット、２２１はサイドカバーユニットである。２２２はトップベースユニットであり、屈曲可能なトップフレキシブルプリント基板（ＦＰＣ）、モードダイヤル、ダイヤルの停止位置を検出する為の電気抵抗の低い部材からなるブラシ、電源ＬＥＤ窓、金属からなるトップシャーシ２２３からなっている。トップＦＰＣには、電源ボタン、ズームダイヤル、シャッターボタンの操作を検出するスイッチが実装配置、前述のブラシにより電気的にパターンが短絡させるコードパターンが配設されている。なおこれらの詳細な説明は後述する。
【００４６】
２２４はストロボファインダーユニットをそれぞれ示している。２２５はメモリーカードであり前述の画像データ、音声データなどを記録し、後述のカード型メモリスロットに挿抜可能に装着する。また２２６はメインユニットであり、構成は次に詳細に説明する。
【００４７】
図６、図７は本発明の装置のメインユニット部の斜視図である。
【００４８】
図６において、メインユニット２２６の主な構成は鏡筒ユニット２０１、主構造体である金属からなるシャーシ２２７、電気回路基板からなるメイン基板２２８、液晶表示装置２１１の構成部品であるＬＣＤパネル２３２、ＬＣＤバネル２３２を保持する金属フレーム２３１（表示手段を保持する金属フレーム）、ＬＣＤパネル２３２を背後から照明するバックライト部材２３４（不図示）、電気回路基板からなる操作基板２２９および各種ネジである。なお、操作基板は十分に強度があり、後カバーに配設されている操作ボタンから押し圧されたときに、操作基板が変形しない程度の厚さにしてある。ハード基板でなくても、フレキシブルプリント基板（ＦＰＣ）とその保持手段（十分強度のある金属板もしくはプラスチック樹脂）との組み合わせでも良い。
【００４９】
鏡筒ユニット２０１には２０１ｃ、２０１ｄのフランジ部が突設されており、さらにこのフランジ部には穴が配設しておりこの穴を介して、シャーシ２２７に２３０ａ、２３０ｂのネジにより締結されている。鏡筒ユニット２０１の構成部材には、導電性を有するプラスチック樹脂が一部使用されている。メイン基板２２８、シャーシ２２７、操作基板２２９、ＬＣＤフレーム２３１は略平行に、かつ、鏡筒ユニット２０１の撮影光学系の光軸と直交するように配設されている。
【００５０】
メイン基板には本装置の外部インターフェースであるＡＶ出力コネクタ２２８ａ、ＵＳＢコネクタ２２８ｂ、外部電源コネクタ２２８ｃがそれぞれ実装配備されている。また装置全体の制御を行うＣＰＵ、鏡筒ユニット内に配置された光電変換素子ＣＣＤ２０１ａからアナログ信号受けてアナログ信号をデジタル信号に変換するＡ／Ｄ変換回路、そのデジタル信号を受けて適宜演算する画像処理回路、フラッシュメモリー、主電池から受けた電源を適宜電圧に変換する電源回路などが配設されている。各制御に関しては後に詳細に説明する。
【００５１】
２２３は金属からなるトップシャーシであり、後に組み込まれるトップベースユニット２２２の構成部材である。このトップシャーシ２２３はメインユニットには含まれないが、説明を分かりやすくする為にここで述べた。トップシャーシはネジ２３０ｄにてシャーシ２２７に締結されている。
【００５２】
図７はメインユニットを装置背面側から見た斜視図である。
【００５３】
ＬＣＤパネル２３２はＬＣＤフレーム２３１のフック部２３１ａ、２３１ｂよりＬＣＤパネルを中心方向に付勢するように係止されている。このフック部を利用し、ＬＣＤパネルとＬＣＤフレーム２３１は電気的接続している。ＬＣＤフレームはネジ２３０ｆ、２３０ｇによりシャーシ２２７へ、締結されている。操作基板２２９は図７で示す様に片面には９つのタクトスイッチ（符号は代表して２２９ａにのみ記してある）、スライド検出スイッチ２２９ｂが実装配備してある。これらのスイッチは後カバー２１０にある各ボタンの突起部２１０ａや、引っ掛け部２１０ｂ（図５参照）により作用するように構成されている。操作基板の上記スイッチの実装配備していない側の面にはカード型メモリスロット２２８ｄが実装配備してあり、画像や音声などがカード型メモリに記録される。操作基板２２９はネジ２３０ｆによりメインシャーシへ締結されている。前述のＬＣＤフレーム２３１と操作基板２２９は略同一平面上に、並んで配設されており（ＬＣＤフレーム支持部などが操作基板と一部重なりがあっても良い）、メイン基板に電気的に接続されている。ＬＣＤフレーム２３１と操作基板２２９を略同一平面上に並んで配設することで、装置本体の厚み（奥行き）方向の薄型化が可能となると共に、装置背面に配置してある、操作ボタンを液晶表示装置を見ながら操作できる、操作性の良い装置にすることを可能にしている。
【００５４】
次に、本発明の装置の構成をブロック図である図８をもとに説明する。
【００５５】
装置２００は主に、鏡筒ユニット２０１内に配設された撮像光学系２０１ｂおよびＣＣＤ２０１ａ、アナログ信号処理部であるアナログ回路２２８ｆ、アナログ信号をデジタル信号に変換するＡ／Ｄ変換器２２８ｇ、デジタル信号を各種処理を行う画像処理装回路２２８ｅ、装置全体の制御を行う中央演算装置（ＣＰＵ）２２８ｈ、表示装置（ＬＣＤ）２３２、背面操作ボタン群のタクトスイッチ２２９ａおよびカード型メモリスロット２２５からなる操作基板２２９、シャッターボタン２５４ｂ、ズームスイッチ２５４ａ、電源ボタン２５４ｃ、電源ＬＥＤ２５４ｉが実装配備されたトップフレキシブルプリント基板（ＦＰＣ）２５４等から構成される。
【００５６】
装置は、電源ボタン２５４ｃが押し圧されると装置システムが起動し、電源ＬＥＤが点灯、撮影光学系２０１ｂが所定の位置まで繰り出され、撮影スタンバイ状態になる。
【００５７】
前述のモードダイヤルに固定されたブラシがトップＦＰＣに配設されたモードダイヤルコードパターンを短絡させ、どのモードが選択されているかＣＰＵ２２８ｈへ知らせている。ＣＰＵ２２８ｈはユーザーにより選択されたモードにより、所定のアルゴリズムにて、露光制御、オートフォーカス、オートストロボ、オートホワイトバランス等の制御や、静止画、動画の切り替え等を設定するようプログラムされている。
【００５８】
撮影光学系２０１ｂは、例えば、複数枚のレンズからなるズームレンズが用いられ、図示せぬモーターを含むレンズ駆動部からの駆動力によってテレ又はワイド方向へのズーミング駆動が行われると共にＡＦ機能によってフォーカスレンズ系が移動できるようになっている。
【００５９】
撮像光学系２０１ｂを介してＣＣＤ２０１ａの受光面に結像した被写体像は、ＣＣＤ２０１ａにおいて光電変換され、映像信号として順次読み出される。ＣＣＤ２０１ａから読み出された映像信号はアナログ処理回路２２８ｆのＣＤＳ回路部で各画素毎にサンプリングホールドされ、ゲインコントロールアンプで増幅された後、Ａ／Ｄ変換器２２８ｇでＲ、Ｇ、Ｂの点順次デジタル信号に変換されて、画像処理回路２２８ｅに加えられる。尚、前記ＣＣＤ２０１ａおよびＣＤＳ回路及び画像処理回路２２８ｅにはＣＰＵ２２８ｈによって制御される図示せぬタイミングジェネレーター（ＴＧ）からタイミング信号が加えられており、このＴＧによって各回路の同期がとられている。
【００６０】
画像処理回路２２８ｅの信号処理部の詳細な構成は図示されていないが、この画像処理回路２２８ｅは輝度信号生成回路、色差信号生成回路、測光値演算回路、及び圧縮／伸長回路等のデジタル処理回路を含んでいる。Ａ／Ｄ変換器２２８ｇから出力された映像信号は、この画像処理回路２２８ｅにおいて適宜処理され、モニター出力信号としてＬＣＤ２３２に導かれる。尚、ＬＣＤ２３２アナログ入力対応の場合には、画像処理回路２２８ｅの後段にＤ／Ａ変換器を設け、画像データをアナログ信号に変換してから、その信号をＬＣＤ２３２に加えるようにする。
【００６１】
こうして、ＣＣＤ２０１ａが捉えた映像がＬＣＤ２３２に表示される。このＬＣＤ２３２には、シャッターボタン２１２の押し圧操作（レリーズ操作）に応じて撮影された静止画のみならず、レリーズ操作前の映像（動画、或いは間欠画）も表示が可能である。また、画像処理回路２２８ｅから出力された画像データは、ＪＰＥＧ等の所定の形式で圧縮処理され、撮影開始信号の入力に応じて着脱自在なメモリーカード２２５等の記録部に記録される。本実施の形態では、記録媒体の形態例としてカード型メモリ２２５を用いているが、記録媒体はカメラ内蔵フラッシュメモリーの他、着脱自在な光磁気ディスク、ＩＣカード等の様々な形態が可能である。
【００６２】
また、この装置２００では、シャッターボタン２１２の押し圧操作に応じて撮影開始信号が発せられるが、外部機器との通信等により、外部から撮影開始信号が入力するように構成してもよい。ＣＰＵ２２８ｈは、装置の各回路を統括・制御するものであり、シャッターボタン（撮影指示部材に相当）２１２から信号の入力に基づいてフォーカシング等の撮影を行うためのＣＣＤ２０１ａ駆動制御を行うとともに、アナログ信号処理回路２２８ｆ及び画像処理回路２２８ｅの制御も行う。
【００６３】
例えば、ＣＰＵ２２８ｈは、所定のアルゴリズムに従って露出値、フォーカス位置等の各種演算を行い、自動露光制御、オートフォーカス、オートストロボ、オートホワイトバランス等の制御を行う。即ち、ＣＰＵ２２８ｈは、画像信号に基づいて算出した露出値に従ってＣＣＤ２０１ａの電子シャッター値を制御して露出値を設定するとともに、算出したＲＢゲイン値に従ってゲインコントロールアンプを制御してホワイトバランスを設定する。
【００６４】
また、ＣＰＵ２２８ｈは、画像信号から被写体像の鮮鋭度を示す焦点評価値を演算し、その焦点評価値に基づいてフォーカス位置を算出する。そして、算出したフォーカス位置に従って撮影レンズ３４のフォーカス系を制御し、フォーカス位置を設定する。尚、オートフォーカス手段は、上述の形態に限らず、ＡＦセンサなど公知の測距手段を用いてもよい。
【００６５】
更に、ＣＰＵ２２８ｈは、ズームダイヤル２０９によるズーム操作手段によって撮影者が設定した撮影光学系の焦点距離に従ってレンズ駆動部を介してズーム光学系を制御し、撮影光学系２０１ｂの焦点距離を設定する。
【００６６】
また、メイン基板２２８には前述のアナログ処理回路２２８ｆ、Ａ／Ｄ変換器２２８ｇ、画像処理回路２２８ｅ、ＣＰＵ２２８ｈ、ＣＣＤからのアナログ信号線を引き入れるフレキコネクタ２２８ｉを少なくとも含み、ＣＣＤ２０１ａとの接続部である外部Ｉ／Ｆ部である各種コネクタ（２２８ａおよび２２８ｂおよび２２８ｃ）、主電池から受けた電源を適宜電圧に変換する電源回路、ＬＣＤ２３２とのＩ／Ｆであるコネクタ２２８ｊを含めることも可能であり、一体的に構成している。
【００６７】
次に本発明の導光部材が内部構造に移動可能に取り付けされている様子を詳細に述べる。
【００６８】
図１は導光部材が内部構造に移動可能に取り付けされる展開斜視図を示している。
【００６９】
トップベースユニット２２２および後に組み込まれる、前カバー２０５、後カバー２１０の展開斜視図はである。トップベースユニットの構成部材は、モードダイヤル２５２、クリックバネ２５５、トップベース、ダイヤルベース２５６、ブラシ２５３、ビス、電源ＬＥＤ窓２５０、屈曲可能なトップフレキシブルプリント基板（ＦＰＣ）２５４、トップシャーシ２２３である。
【００７０】
モードダイヤル２５２の内部には不図示の溝が配設されており、クリックバネ２５５により、良好なクリックを発生及び正しい位置に停止するように構成されている。絶縁樹脂部材からなるダイヤルホルダ２５６と電気抵抗の低い部材からなるブラシ２５３は不図示の位置決め手段により、正しく位置決めされ、熱か締めにより係止されている。
【００７１】
モードダイヤル２５２の内部に配置された、不図示の円筒ボス部がトップベースの円筒穴部２５１ｇ部を通過し、前述のブラシホルダとブラシを不図示のビスにて円筒ボス部にビス止めされる。
【００７２】
これにより、モードダイヤルが矢印Ｐ、Ｑの方向に回転可能に軸支されることになる。トップＦＰＣ２５４のパターンには、ダイヤルコードパターン２５４ｊが配設されおり、前述のブラシと短絡し、ダイヤルがどの位置に停止しているかを、トップフレキ２５４からメイン基板のＣＰＵ２２８ｈに送り、装置２００はユーザーが欲するモードへ適宜切り替えられる。
【００７３】
次に、乳白もしくは透明の樹脂からなる電源ＬＥＤ窓２５０はトップベースの筒部２５１ｃをガイドにしながらトップベースに挿入され、トップベースのフック部２５１ｄと電源ＬＥＤ窓の爪部２５０ｂがパッチン係止される。このとき、トップベース２５１に対し、電源ＬＥＤ窓２５０は図１の軸方向には移動できないが、軸に直交する面内においては一定の距離で移動可能になっている。移動可能な様子は図１３にて詳しく述べることにする。
【００７４】
一方、トップフレキ２５４はトップシャーシ配された軸、トップフレキに配された穴により、位置決めされている。
【００７５】
モードダイヤル及びそのブラシ類、電源ＬＥＤ窓が取り付けられた、トップベースは、フック部２５１ａ、２５１ｂがトップシャーシの引っ掛け部２２３ａ、２２３ｂにそれぞれ係合および、ねじ２３０ｍによりトップシャーシへ完全に固定される。この際、電源ＬＥＤ窓に設けられた軸部２５０ｃ、２５０ｄはトップＦＰＣ２５４の穴部２５４ｄ、２５４ｅへ納まる。トップベースユニットに対し、電源ＬＥＤ窓は軸に直交する面内において一定の距離で移動可能になっており、電源ＬＥＤ窓が移動した場合は、トップＦＰＣの屈曲可能部２５４ｈが自在に変形し、電源ＬＥＤ２５４ｉと電源ＬＥＤ窓の位置関係は保たれる構造となっている。
【００７６】
電源ＬＥＤ窓の軸と直交する面内の最終的な位置規制は、後に組み込まれる、前カバーの開口部２０５ｃ及び、後カバー開口部２１０ｃである。これにより電源ＬＥＤ窓の外観への露呈部２５０ａは前カバー、後カバーへ精度良く位置決され、隣り合う部品との隙間をなくすことが可能となる。しかも、電源ＬＥＤと電源ＬＥＤ窓のとの位置関係は、前述の軸２５０ｃ、２５０ｄ、穴２５４ｄ、２５４ｅにて規制されている為、位置関係が狂うことはない為、露呈部２５０ａは均一に発光する。
【００７７】
図９はトップＦＰＣの図である。
【００７８】
トップＦＰＣ２５４は少なくとも２５４ｈ部が屈曲可能な部材から出来ており、穴部２５４ｆ、２５４ｇがトップシャーシの軸部２２３ｃ、２２３ｄに位置決め精度良く圧入係止される。２５４ｊはモードダイヤルのコードパターンであり、この部分は後に組み込まれるトップベースに取り付けられた、ブラシ２５３との位置関係精度が要求されている。
【００７９】
一方、電源ＬＥＤ２５４ｉは近隣に配された穴部２５４ｄ、２５４ｅによって、電源ＬＥＤ窓の軸部２５０ｃ、２５０ｄに誘い込まれ、位置決めされる。このとき、２５４ｈ部が屈曲可能であるため、電源ＬＥＤ部は、トップシャーシ２２３には規制されることは無い。
【００８０】
また、トップＦＰＣにはズーム検出用の検出スイッチ２５４ｆ、シャッターボタンの押し圧検出の為の、シャッタースイッチが実装配設されている。
【００８１】
図１０はトップベース、トップＦＰＣ、電源ＬＥＤ窓の組み込まれる斜視図を表している。
【００８２】
本来ならば、この時点では、トップベースにモードダイヤルやブラシなどが組み込まれているが、この図では分かりやすくする為、省略している。
【００８３】
トップシャーシとトップベースとの関係は、図９で説明したトップシャーシの軸部２２３ｃ、２２３ｄを利用して、トップベースの穴部２５１ｅ、２５１ｆへそれぞれ勘合し精度良く規制される。これゆえ、トップＦＰＣとトップベースとの位置関係は、トップシャーシに配された、軸部２２３ｃ、２２３ｄを利用して行う為、他に介在する部品が無い為、非常に高精度である。したがって、ブラシ２５３（この図では省略）とダイヤルコードパターン２５４ｊは互いに介在部品が最低限で構成されている為、高精度で位置決めされており、ブラシの位置ずれ等による検出エラーは発生しにくい。
【００８４】
図１１はトップベースユニット完成状態の斜視図である。
【００８５】
この時点では、トップベースユニット２２２に対し、電源ＬＥＤ窓２５０は図内の軸方向に直行する面内において、一定距離移動可能な状態になっている。
【００８６】
図１２はトップベースユニットに前カバー２０５（一部分）、後カバー２１０（一部分）が被さっている様子を示している。
【００８７】
電源ＬＥＤ窓の外観露呈部２５０ａは前カバーの開口２０５ｃ、後カバーの開口２１０ｃにより、図内の軸方向に直交する面内方向にはじめて規制されている。なお、この電源ＬＥＤ窓の露呈部２５０ａはモードダイヤルの指標も兼ねている。
【００８８】
図１３はトップベースユニットの上面図および、各断面図である。
【００８９】
＜断面Ａ−Ａ＞において、電源ＬＥＤ窓２５０はトップベースは軸方向には勘合しており移動できず、矢印Ｓ、Ｔの方向のみ移動可能になっている様子を示している。
【００９０】
＜断面Ｂ−Ｂ＞においても同様、電源ＬＥＤ窓２５０はトップベースは軸方向には勘合しており移動できず、矢印Ｕ、Ｖの方向のみ移動可能になっている様子を示している。このとき電源ＬＥＤ窓２５０から突設した２５０ｃにより、２５４ｉ電源ＬＥＤは電源ＬＥＤ窓２５０に追従する。
【００９１】
＜断面Ｃ−Ｃ＞において、電源ＬＥＤ窓のフック部２５０ｂがトップベースの爪部２５２ｄに係合しており、抜け落ちない様子を示している。
【００９２】
以上の様に、トップＦＰＣのダイヤルコードパターン部とトップベースに配されたブラシ、電源ＬＥＤ窓と前後カバーの開口部、電源ＬＥＤ窓と電源ＬＥＤの３つの勘合を精度良くかつ簡単な構造で満たすことが可能となる。結果としてモードダイヤル安定した位置検出、電源ＬＥＤ窓と前後カバーの合わせの美観性、電源ＬＥＤ窓露呈部（指標）がムラなく美しく発光を兼ね備えた構造を安価に供給することが可能となる。
【実施例２】
【００９３】
以下に、本発明による実施形態を、電子撮像装置を例にあげ、図面を参照して詳細に説明する。
【００９４】
実施例１では電源ＬＥＤの光源が単一であったが、実施例２では、光源が２つの場合を説明する。
【００９５】
図１４は実施例１にて示した、トップベースユニットの断面図である。
【００９６】
２７０、２７１は電源ＬＥＤの光源であり、ここから光が射出される。電源ＬＥＤ窓２５０の入光部２５０ｅ、２５０ｆはＬＥＤの光軸に対し傾斜しており、２７０、２７１から射出された光をこの電源ＬＥＤ窓の入光面にて屈折させ、電源ＬＥＤ窓の露呈部２５０ａの中心部へ向かわせている。
【００９７】
このように電源ＬＥＤの入光部を光軸に対し傾斜させることで、図１８にて説明した従来例の問題を解決することが可能である。電源ＬＥＤ２７０、２７１を異なる色にし、（例えば２７０を緑、２７１を赤、同時発光でオレンジ）モードの状態によって発光させるＬＥＤを変えれば、２７０のみオン、２７１のみオン、２７０および２７１同時にオンと三種類の色を美しくムラなく発光させることが可能となる。なお、これをモードダイヤルの各モードに割り当てをすると、ユーザーの視認性が更に向上する。
【００９８】
なお、この例では２の光源について説明したが、３つ以上の光源においても、電源ＬＥＤ窓の入光部に工夫をし、電源ＬＥＤ窓の露呈部２５０ａの中心部に向かわせるように、光の屈折を行わせれば、同様の効果が得られる。
【００９９】
このように、複数のＬＥＤの場合においても、本発明の手段を用いれば、トップＦＰＣのダイヤルコードパターン部とトップベースに配されたブラシ、電源ＬＥＤ窓と前後カバーの開口部、電源ＬＥＤ窓と電源ＬＥＤの３つの勘合を精度良くかつ簡単な構造で満たすことが可能となる。結果としてモードダイヤル安定した位置検出、電源ＬＥＤ窓と前後カバーの合わせの美観性、電源ＬＥＤ窓露呈部（指標）を複数色にてムラなく美しく発光を兼ね備えた構造を安価に供給することが可能となる。
【図面の簡単な説明】
【０１００】
【図１】本発明の第１の実施例に関わる装置の展開斜視図
【図２】本発明の第１の実施例に関わる装置の斜視図
【図３】本発明の第１の実施例に関わる装置の斜視図
【図４】本発明の第１の実施例に関わる装置の斜視図
【図５】本発明の第１の実施例に関わる装置の展開斜視図
【図６】本発明の第１の実施例に関わる装置の斜視図
【図７】本発明の第１の実施例に関わる装置の斜視図
【図８】本発明の第１の実施例に関わる装置ブロック図
【図９】本発明の第１の実施例に関わるＦＰＣの図
【図１０】本発明の第１の実施例にトップベースユニットの展開斜視図
【図１１】本発明の第１の実施例にトップベースユニットの斜視図
【図１２】本発明の第１の実施例に関わる装置の部分斜視図
【図１３】本発明の第１の実施例にトップベースユニットの図およびその断面図
【図１４】本発明の第２の実施例にトップベースユニットの断面図
【図１５】従来の発明の概略斜視図
【図１６】従来の発明の断面図
【図１７】従来の発明の模式図
【図１８】従来の発明の模式図
【符号の説明】
【０１０１】
２００    電子撮像装置本体
２０１    鏡筒ユニット
２０１ａ  ＣＣＤ
２０１ｂ  撮像光学系
２０１ｃ、２０１ｄ    フランジ部
２０２    グリップ部
２０３    ストロボ発光窓
２０４    マイク
２０５    前カバー
２０５ａ  ストロボ窓開口部
２０５ｂ  ファンダー部開口部
２０５ｃ  開口部
２０６    開口部
２０６ａ  ファインダー光学系対物レンズ
２０６ｂ  ファインダー光学系接眼レンズ
２０７    バヨネットリング
２０８    電源ボタン
２０９    ズームダイヤル
２１０    後カバー
２１０ａ  突起
２１０ｂ  引っ掛け部
２１０ｃ  開口部
２１１    液晶表示装置
２１２    シャッターボタン
２１３    スピーカー
２１４    モードレバー
２１６    背面操作ボタン群
２１９    電池室ユニット
２２０    電池蓋ユニット
２２１    サイドカバーユニット
２２２    トップベースユニット
２２３    トップシャーシ
２２３ａ、ｂ    引っ掛け部
２２３ｃ、ｄ    軸部
２２３ｅ、ｆ    穴部
２２４    ストロボファインダーユニット
２２５    メモリーカード
２２６    メインユニット
２２７    シャーシ
２２７ａ  切り欠き部
２２８    メイン基板
２２８ａ  Ａ／Ｖ出力コネクタ
２２８ｂ  ＵＳＢコネクタ
２２８ｃ  外部電源コネクタ
２２８ｄ  メモリーカードスロット
２２８ｅ  画像処理回路
２２８ｆ  アナログ処理回路
２２８ｇ  Ａ／Ｄ変換器
２２８ｈ  ＣＰＵ
２２８ｉ  コネクタ（ＣＣＤ）
２２８ｊ  コネクタ（ＬＣＤ）
２２９    操作基板
２２９ａ  タクトスイッチ
２２９ｂ  スライドスイッチ
２２９ｃ  部品実装面
２３０ａ、２３０ｂ、２３０ｄ、２３０ｅ、２３０ｆ、２３０ｇ、２３０ｈ、２３０ｊ、２３０ｋ、２３０ｌ、２３０ｍ    ネジ
２３１    ＬＣＤフレーム
２３１ａ、２３１ｂ    フック部
２３２    ＬＣＤパネル
２３４    ＬＣＤバックライト部材
２５０    電源ＬＥＤ窓
２５０ａ  露呈部
２５０ｂ  爪部
２５０ｃ、ｄ    軸部
２５０ｅ、２５０ｆ    入光部
２５１    トップベース
２５１ａ、ｂ    フック部
２５１ｃ  筒部
２５１ｄ  フック部
２５１ｅ、ｆ    穴部
２５１ｇ  円筒穴部
２５２    モードダイヤル
２５３    ブラシ
２５４    トップＦＰＣ
２５４ａ  ズームスイッチ
２５４ｂ  シャッタースイッチ
２５４ｃ  電源スイッチ
２５４ｄ、ｅ、ｆ、ｇ    穴部
２５４ｈ  屈曲部
２５４ｉ  電源ＬＥＤ
２５４ｊ  ダイヤルコードパターン
２５５    クリックバネ
２５６    ダイヤルベース
２７０    電源ＬＥＤ
２７１    電源ＬＥＤ
３０１    従来の発明の前カバー
３０２    従来の発明の後カバー
３０８    従来の発明のモードダイヤル
３０９    従来の発明の指標
３２９    従来の発明のモードＬＥＤ
３６４    従来の発明の操作基板
３７１    従来の発明のレリーズベース
３７０    従来の発明の樹脂部材（導光部材）
【図１】
2007199362.tif 000003
【図２】
2007199362.tif 000004
【図３】
2007199362.tif 000005
【図４】
2007199362.tif 000006
【図５】
2007199362.tif 000007
【図６】
2007199362.tif 000008
【図７】
2007199362.tif 000009
【図８】
2007199362.tif 000010
【図９】
2007199362.tif 000011
【図１０】
2007199362.tif 000012
【図１１】
2007199362.tif 000013
【図１２】
2007199362.tif 000014
【図１３】
2007199362.tif 000015
【図１４】
2007199362.tif 000016
【図１５】
2007199362.tif 000017
【図１６】
2007199362.tif 000018
【図１７】
2007199362.tif 000019
【図１８】
2007199362.tif 000020